(57)【要約】【課題】製造コストが低減できて安価で、且つ、環境にやさしい電磁流量計を提供する。【解決手段】セラミックの測定管と、この測定管に設けられた励磁コイルと帰還磁路と、前記測定管に設けられこの励磁コイルと帰還磁路とを覆うハウジングと、前記測定管の両端にそれぞれ設けられたミニフランジとを具備する電磁流量計において、前記測定管の両端側の周面にそれぞれリング状に設けられこの測定管を締結する第１，第２の締結手段と、この第１の締結手段に一方端が接続され他方端が第２の締結手段に接続されたプレート状の接続手段と、この接続手段に励磁コイルと帰還磁路とを固定する固定手段と、前記測定管と前記ハウジングとの間に設けられ前記測定管と前記第１，第２の締結手段と前記ミニフランジとを樹脂固着する樹脂充填部とを具備したことを特徴とする電磁流量計である。【選択図】　　　　図１
2004020506.tif 000002
【特許請求の範囲】
【請求項１】
セラミックの測定管と、
この測定管に設けられた励磁コイルと帰還磁路と、
前記測定管に設けられこの励磁コイルと帰還磁路とを覆うハウジングと、
前記測定管の両端にそれぞれ設けられたミニフランジと
を具備する電磁流量計において、
前記測定管の両端側の周面にそれぞれリング状に設けられこの測定管を締結する第１，第２の締結手段と、
この第１の締結手段に一方端が接続され他方端が第２の締結手段に接続されたプレート状の接続手段と、
この接続手段に励磁コイルと帰還磁路とを固定する固定手段と、
前記測定管と前記ハウジングとの間に設けられ前記測定管と前記第１，第２の締結手段と前記ミニフランジとを樹脂固着する樹脂充填部と
を具備したことを特徴とする電磁流量計。
【請求項２】
前記第１，第２の締結手段として、金属ベルトが使用されたこと
を特徴とする請求項１記載の電磁流量計。
【請求項３】
前記接続手段として、プレート状の接続板が使用されたこと
を特徴とする請求項１又は請求項２記載の電磁流量計。
【請求項４】
前記固定手段として、前記接続手段に一方端が固定されたスタッドボルトとこのスタッドボルトに取り付けられたナットが使用されたこと
を特徴とする請求項１乃至請求項３の何れかに記載の電磁流量計。
【請求項５】
前記第１，第２の締結手段が、それぞれ半円状の第１，第２，第３，第４の金属フレームと、この第１，第２，第３，第４の金属フレームの対向部分を互いに引き寄せ固定する引き寄せ固定手段とを具備し、
前記接続手段として、前記第１と第３の金属フレームを最初から一体に接続する第１の接続手段と、前記第２と第４の金属フレームを最初から一体に接続する第２の接続手段と
を具備したことを特徴とする請求項１乃至請求項４の何れかに記載の電磁流量計。
【発明の詳細な説明】
【０００１】
【発明の属する技術分野】
本発明は、製造コストが低減できて安価で、且つ、環境にやさしい電磁流量計に関するものである。
【０００２】
【従来の技術】
図６は、従来より一般に使用されている従来例の構成説明図である。
図において、１はセラミックの測定管である。
この測定管１には、コア２と励磁コイル３と帰還磁路板４とが、設けられている。
【０００３】
５は、測定管１に設けられ、コア２と励磁コイル３と帰還磁路４とを覆うハウジングである。
６は、測定管１の両端にそれぞれ設けられたミニフランジである。
【０００４】
７は、測定管１とハウジング５との間に充填され、ミニフランジ６とコア２と励磁コイル３と帰還磁路４とを樹脂充填して固定する樹脂充填体である。
８は、測定管１とミニフランジ６との間に設けられたＯリングである。
【０００５】
【発明が解決しようとする課題】
しかしながら、このような装置においては、以下の間題点がある。
セラミックの測定管１は、溶接やねじ止めが困難である為に、励磁コイル３、コア２や帰還磁路板４を樹脂充填６して固定していた。
【０００６】
このため、電磁流量計内の全域に樹脂を充填しなければならず、樹脂の充填や硬化に時間がかかるため製造コストが高くなってしまう。
さらに、製品廃棄時、内部を樹脂充填しているため、樹脂と内器部品の分離に手間が掛かり、リサイクルが困難であった。
【０００７】
本発明の目的は、上記の課題を解決するもので、製造コストが低減できて安価で、且つ、環境にやさしい電磁流量計を提供することにある。
【０００８】
【課題を解決するための手段】
このような目的を達成するために、本発明では、請求項１記載の電磁流量計においては、
セラミックの測定管と、この測定管に設けられた励磁コイルと帰還磁路と、前記測定管に設けられこの励磁コイルと帰還磁路とを覆うハウジングと、前記測定管の両端にそれぞれ設けられたミニフランジとを具備する電磁流量計において、
前記測定管の両端側の周面にそれぞれリング状に設けられこの測定管を締結する第１，第２の締結手段と、この第１の締結手段に一方端が接続され他方端が第２の締結手段に接続されたプレート状の接続手段と、この接続手段に励磁コイルと帰還磁路とを固定する固定手段と、前記測定管と前記ハウジングとの間に設けられ前記測定管と前記第１，第２の締結手段と前記ミニフランジとを樹脂固着する樹脂充填部とを具備したことを特徴とする。
【０００９】
本発明の請求項２においては、請求項１記載の電磁流量計において、
前記第１，第２の締結手段として、金属ベルトが使用されたことを特徴とする。
【００１０】
本発明の請求項３においては、請求項１又は請求項２記載の電磁流量計において、
前記接続手段として、プレート状の接続板が使用されたことを特徴とする。
【００１１】
本発明の請求項４においては、請求項１乃至請求項３の何れかに記載の電磁流量計において、
前記固定手段として、前記接続手段に一方端が固定されたスタッドボルトとこのスタッドボルトに取り付けられたナットが使用されたことを特徴とする。
を特徴とする。
【００１２】
本発明の請求項５においては、請求項１乃至請求項４の何れかに記載の電磁流量計において、
前記第１，第２の締結手段が、それぞれ半円状の第１，第２，第３，第４の金属フレームと、この第１，第２，第３，第４の金属フレームの対向部分を互いに引き寄せ固定する引き寄せ固定手段とを具備し、前記接続手段として、前記第１と第３の金属フレームを最初から一体に接続する第１の接続手段と、前記第２と第４の金属フレームを最初から一体に接続する第２の接続手段とを具備したことを特徴とする。
【００１３】
【発明の実施の形態】
以下図面を用いて本発明を詳しく説明する。
図１は本発明の一実施例の要部構成説明図、図２は図１のＺ−Ｚ断面図、図３は図１の要部部品説明図である。
図において、図６と同一記号の構成は同一機能を表す。
以下、図６と相違部分のみ説明する。
【００１４】
１１，１２は、測定管１の両端側の周面にそれぞれリング状に設けられ、測定管を締結する第１，第２の締結手段である。
この場合は、第１，第２の締結手段１１，１２として、金属ベルトが使用されている。
【００１５】
金属ベルト１１，１２は、たとえば、図３に示す如く、リング状に組み立てられて測定管１を緊締するもので、例えば、商品名「パン・スチール　ステンレスバンド」　パンドウイット　コーポレーション日本支社製　として、市販されている。
【００１６】
１３，１４は、第１の締結手段１１に一方端が接続され、他方端が第２の締結手段１２に接続されたプレート状の接続手段である。
この場合は、接続手段１３，１４として、プレート状の金属の接続板が使用されている。
【００１７】
１５は、接続手段１４に、コア２と励磁コイル３と帰還磁路４とを固定する固定手段である。
この場合は、固定手段１５として、接続手段１４に一方端が固定されたスタッドボルト１５１とスタッドボルト１５１に取り付けられたナット１５２とが使用されている。
【００１８】
１６は、測定管１とハウジング５との間に設けられ、測定管１の両端部分で、測定管１と第１，第２の締結手段１１，１２とミニフランジ５とを樹脂固着する樹脂充填部である。
【００１９】
以上の構成において、セラミックの測定管１に、スタッドボルト１５１を取り付けた．金属プレート１３，１４を接着剤等で取り付け、．金属ベルト１１，１２で締め付け固定する。
【００２０】
このスタッドボルト１５１にナット１５２で、コア２と励磁コイル３と帰還磁路４とを固定する。
図１に示す如く、測定管１の両端部分で、測定管１と第１，第２の締結手段１１，１２とミニフランジ５とを樹脂固着する。
【００２１】
この結果、
（１）磁気回路部品２，３，４やセラミックの測定管１の、測定管の管軸を中心とする回転を防止し、固定することが可能となる。
従って、樹脂充填量が従来の１／５以下にできるので、製造コストの低減が可能となる電磁流量計が得られる。
【００２２】
（２）内器部品２，３，４は樹脂充填されないため、容易に分離できリサイクルが可能となり、環境に優しい電磁流量計が得られる。
【００２３】
（３）金属ベルト１１，１２を使用しているので、締めるだけで良いので、締結が容易となり組立性が向上された電磁流量計が得られる。
【００２４】
（４）セラミックの測定管１にスタッドボルト１５１等を直接に取り付けるのは困難であるが、プレート状の接続板１３，１４を使用することにより、セラミックの測定管１上に実質的にスタッドボルト１５１を立てることが可能となる電磁流量計が得られる。
【００２５】
（５）スタッドボルト１５１がプレート状の接続板１３，１４に取り付いているため、帰還磁路４の固定、着脱が容易に可能となる電磁流量計が得られる。
【００２６】
図４は、本発明の他の実施例の要部構成説明、図５は図４の要部詳細説明図である。
本実施例において、２１，２２，２３，２４は、それぞれ半円状の第１，第２，第３，第４の金属フレームである。
【００２７】
２５，２６，２７，２８は、図５に示す如く、第１，第２，第３，第４の金属フレーム２１，２２，２３，２４の対向部分を互いに引き寄せ固定する引き寄せ固定手段である。
この場合は、ねじ２５，２６，２７，２８が使用されている。
【００２８】
３１は、第１と第３の金属フレーム２５，２６を最初から一体に接続する第１の接続手段である。
３２は、第２と第４の金属フレーム２７，２８を最初から一体に接続する第２の接続手段である。
４１，４２，４３，４４は、帰還磁路４を取り付けるねじである。
【００２９】
この結果、第１，第２の締結手段１１，１２と第１，第２の接続手段１３，１４とが一体化され、２個のユニットによりの組み立てることができるので、組立性が向上された電磁流量計が得られる。
【００３０】
なお、以上の説明は、本発明の説明および例示を目的として特定の好適な実施例を示したに過ぎない。したがって本発明は、上記実施例に限定されることなく、その本質から逸脱しない範囲で更に多くの変更、変形をも含むものである。
【００３１】
【発明の効果】
以上説明したように、本発明の請求項１によれば、次のような効果がある。
（１）磁気回路部品やセラミックの測定管の、測定管の管軸を中心とする回転を防止し、固定することが可能となる。
従って、樹脂充填量が従来の１／５以下にできるので、製造コストの低減が可能となる電磁流量計が得られる。
【００３２】
（２）内器部品は樹脂充填されないため、容易に分離できリサイクルが可能となり、環境に優しい電磁流量計が得られる。
【００３３】
本発明の請求項２によれば、次のような効果がある。
金属ベルトを使用することにより、締めるだけで良いので、締結が容易となり組立性が向上された電磁流量計が得られる。
【００３４】
本発明の請求項３によれば、次のような効果がある。
セラミックの測定管にスタッドボルト等を直接に取り付けるのは困難であるが、プレート状の接続板を使用することにより、セラミックの測定管上に実質的にスタッドボルトを立てることが可能となる電磁流量計が得られる。
【００３５】
本発明の請求項４によれば、次のような効果がある。
スタッドボルトがプレート状の接続板に取り付いているため、帰還磁路の固定、着脱が容易に可能となる電磁流量計が得られる。
【００３６】
本発明の請求項５によれば、次のような効果がある。
第１，第２の締結手段と第１，第２の接続手段とが一体化され、２個のユニットによりの組み立てることができるので、組立性が向上された電磁流量計が得られる。
【００３７】
従って、本発明によれば、製造コストが低減できて安価で、且つ、環境にやさしい電磁流量計を実現することが出来る。
【図面の簡単な説明】
【図１】本発明の一実施例の要部構成説明図である。
【図２】図１のＺ−Ｚ断面図である。
【図３】図１の要部部品説明図である。
【図４】本発明の他の実施例の要部構成説明図である。
【図５】図４の要部詳細説明図である。
【図６】従来より一般に使用されている従来例の要部構成説明図である。
【符号の説明】
１　　　セラミックの測定管
２　　　コア
３　　　励磁コイル
４　　　帰還磁路板
５　　　ハウジング
６　　　ミニフランジ
７　　　樹脂充填体
８　　　Ｏリング
１１　　第１の締結手段
１２　　第２の締結手段
１３　　接続手段
１４　　接続手段
１５　　固定手段
１５１　スタッドボルト
１５２　ナット
１６　　樹脂充填部
２１　　第１の金属フレーム
２２　　第２の金属フレーム
２３　　第３の金属フレーム
２４　　第４の金属フレーム
２５　　固定手段
２６　　固定手段
２７　　固定手段
２８　　固定手段
３１　　第１の接続手段
３２　　第２の接続手段
４１　　ねじ
４２　　ねじ
４３　　ねじ
４４　　ねじ
ＦＬ　　測定流体
【図１】
2004020506.tif 000003
【図２】
2004020506.tif 000004
【図３】
2004020506.tif 000005
【図４】
2004020506.tif 000006
【図５】
2004020506.tif 000007
【図６】
2004020506.tif 000008